(57)【特許請求の範囲】
【請求項１】
店舗の出店を支援する出店支援方法であって、
ＣＰＵと記憶装置とを備えるコンピュータが、
会員が操作する会員端末と通信可能に接続し、
出店可能な店舗に関する店舗情報を記憶する店舗情報データベースと、会員により登録された、当該会員に関連する地図上のエリアを特定する情報であるエリア情報を会員毎に記憶するエリア情報データベースとのそれぞれにアクセス可能に接続し、
会員を特定する情報と当該会員が出店を希望している店舗の条件とを含む出店要請を、前記会員端末から受信し、
前記出店要請により特定される会員に対応する前記エリア情報である出店対象エリア情報を前記エリア情報データベースから取得し、
前記出店要請に含まれている前記条件に見合う前記店舗情報を前記店舗情報データベースから取得し、
前記エリア情報データベースから、前記出店対象エリア情報により特定されるエリアの少なくとも一部と重なるエリアに対応する会員である調査対象会員を選択し、
前記調査対象会員の前記会員端末に対して前記取得した前記店舗情報を送信し、
店舗を特定する情報、会員を特定する情報、および当該店舗における当該会員の所定期間での利用想定額を含む利用想定情報を前記会員端末から受信し、
受信した前記利用想定情報を前記記憶装置に記憶し、
前記調査対象会員のそれぞれについて、過去に出店された店舗における前記所定期間での利用額の入力を受け付け、
当該過去に出店された店舗を特定する情報と、前記調査対象会員を特定する情報とに対応する過去の前記所定期間での利用想定額を前記記憶装置から取得し、取得した当該利用想定額と前記利用額とに応じて、当該調査対象会員の修正係数を決定し、
前記記憶装置に記憶されている前記利用想定情報に含まれている前記利用想定額に前記修正係数を乗じて店舗毎に集計した集計値を算出し、
前記集計値が所定値を超えた店舗について、当該店舗が出店する旨のメッセージを前記調査対象会員の前記会員端末に送信すること、
を特徴とする出店支援方法。
【請求項２】
請求項１に記載の出店支援方法であって、
前記コンピュータが、
利用可能な不動産に関する不動産情報と当該不動産の地図上の位置情報とを対応付けて記憶する不動産データベースにアクセス可能に接続し、
前記店舗情報データベースに記憶されている前記店舗情報には、当該店舗を出店するのに必要な不動産に関する条件が含まれており、
前記出店要請に含まれている前記店舗の条件に見合う前記店舗情報のうち、前記店舗情報に含まれている前記不動産に対する条件に見合う不動産情報が前記不動産情報データベースに登録されているものを取得すること、
を特徴とする出店支援方法。
【請求項３】
請求項１に記載の出店支援方法であって、
前記店舗情報は、フランチャイズによる出店が可能な店舗に関する情報であり、
前記コンピュータが、
フランチャイズによる営業権を受諾して店舗を出店しようとしている加盟候補者を特定する情報と、当該加盟候補者が出店を希望している店舗の条件である出店希望条件とを含む候補者情報を記憶する候補者情報データベースにアクセス可能に接続し、
前記出店要請に含まれている前記店舗の条件に見合う前記店舗情報のうち、前記候補者情報データベースに記憶されている前記出店希望条件の何れかに見合うものを取得すること、
を特徴とする出店支援方法。
【請求項４】
請求項１に記載の出店支援方法であって、
前記コンピュータが、
店舗を出店する事業者の事業者端末と通信可能に接続し、
前記店舗情報には、当該店舗を出店する事業者を特定する情報が含まれており、
前記集計した前記利用想定額の前記集計値が前記所定値を超えた店舗について、対応する前記店舗情報により特定される事業者の前記事業者端末に対して前記メッセージを送信すること、
を特徴とする出店支援方法。
【請求項５】
店舗の出店を支援する出店支援方法であって、
ＣＰＵと記憶装置とを備えるコンピュータが、
会員が操作する会員端末と通信可能に接続し、
出店可能な店舗に関する店舗情報を記憶する店舗情報データベースと、会員により登録された、当該会員に関連する地図上のエリアを特定する情報であるエリア情報を会員毎に記憶するエリア情報データベースとのそれぞれにアクセス可能に接続し、
会員を特定する情報と当該会員が出店を希望している店舗の条件とを含む出店要請を、前記会員端末から受信し、
前記出店要請により特定される会員に対応する前記エリア情報である出店対象エリア情報を前記エリア情報データベースから取得し、
前記出店要請に含まれている前記条件に見合う前記店舗情報を前記店舗情報データベースから取得し、
前記エリア情報データベースから、前記出店対象エリア情報により特定されるエリアの少なくとも一部と重なるエリアに対応する会員である調査対象会員を選択し、
前記調査対象会員の前記会員端末に対して前記取得した前記店舗情報を送信し、
店舗を特定する情報、会員を特定する情報、および当該店舗における当該会員の所定期間での利用想定額を含む利用想定情報を前記会員端末から受信し、
受信した前記利用想定情報を前記記憶装置に記憶し、
前記調査対象会員のそれぞれについて、出店された店舗における前記所定期間での利用額の入力を受け付け、対応する前記利用想定額を前記利用額が上回っている場合に、当該会員に対してポイントを発行し、
発行したポイントを会員毎に前記記憶装置に記憶すること、
を特徴とする出店支援方法。
【請求項６】
請求項１乃至５に記載の出店支援方法であって、
前記エリア情報は、当該エリアに含まれる交差点および交差点間の道路に割り振られた道路番号のリストにより表現されること、
を特徴とする出店支援方法。
【請求項７】
請求項６に記載の出店支援方法であって、
前記コンピュータが、
地図を表示するための地図情報を記憶する地図情報データベースと、地図上における交差点および交差点間の道路の位置情報を前記道路番号に対応付けて記憶する道路データベースとのそれぞれにアクセス可能に接続し、
前記地図情報を前記会員端末に送信し、
前記地図情報により表示される地図において会員から指定された領域を示す指定領域情報を前記会員端末から受信し、
受信した前記指定領域情報により特定される領域に含まれる、前記交差点および前記道路の少なくとも何れかに対応する前記道路番号を前記道路データベースから取得し、
取得した前記道路番号のリストを含むエリア情報を生成し、
生成した前記エリア情報を前記エリア情報データベースに登録すること、
を特徴とする出店支援方法。
【請求項８】
請求項１乃至７に記載の出店支援方法であって、
前記コンピュータが、
前記店舗情報データベースから取得した前記店舗情報に応じて、対応する店舗の商圏となる当該店舗からの距離を決定し、
前記出店対象エリア情報により特定されるエリアを前記距離分だけ拡大したエリアの少なくとも一部と重なるエリアに対応する会員を前記調査対象会員として前記エリア情報データベースから選択すること、
を特徴とする出店支援方法。
【請求項９】
店舗の出店を支援する出店支援方法であって、
ＣＰＵと記憶装置とを備えるコンピュータが、
会員が操作する会員端末、および店舗を出店する事業者の事業者端末のそれぞれと通信可能に接続し、
出店可能な店舗に関する店舗情報を記憶する店舗情報データベースと、会員により登録された、当該会員に関連する地図上のエリアを特定する情報であるエリア情報を会員毎に記憶するエリア情報データベースとのそれぞれにアクセス可能に接続し、
事業者を特定する情報と当該事業者が出店を希望している店舗の店舗情報を特定する情報と、当該店舗の出店を希望するエリアを特定する希望エリア情報とを含む出店調査要請を、前記事業者端末から受信し、
前記出店調査要請により特定されるエリアの少なくとも一部と重なるエリアに対応する会員である調査対象会員を選択し、
前記出店調査要請により特定される店舗情報を前記店舗情報データベースから取得し、
取得した前記店舗情報を、前記調査対象会員の前記会員端末に対して送信し、
店舗を特定する情報、会員を特定する情報、および当該店舗における当該会員の所定期間での利用想定額を含む利用想定情報を前記会員端末から受信し、
受信した前記利用想定情報を前記記憶装置に記憶し、
前記調査対象会員のそれぞれについて、過去に出店された店舗における前記所定期間での利用額の入力を受け付け、
当該過去に出店された店舗を特定する情報と、前記調査対象会員を特定する情報とに対応する過去の前記所定期間での利用想定額を前記記憶装置から取得し、取得した当該利用想定額と前記利用額とに応じて、当該調査対象会員の修正係数を決定し、
前記記憶装置に記憶されている前記利用想定情報に含まれている前記利用想定額に前記修正係数を乗じて店舗毎に集計した集計値を算出し、
前記集計値が所定値を超えた店舗について、当該店舗が出店する旨のメッセージを前記調査対象会員の前記会員端末に送信すること、
を特徴とする店舗の出店支援方法。
【請求項１０】
フランチャイズによる店舗の出店を支援する出店支援方法であって、
ＣＰＵと記憶装置とを備えるコンピュータが、
会員が操作する会員端末、およびフランチャイズによる営業権を受諾して店舗を出店しようとしている加盟候補者の候補者端末のそれぞれと通信可能に接続し、
出店可能な店舗に関する店舗情報を記憶する店舗情報データベースと、会員により登録された、当該会員に関連する地図上のエリアを特定する情報であるエリア情報を会員毎に記憶するエリア情報データベースとのそれぞれにアクセス可能に接続し、
加盟候補者を特定する情報と、当該加盟候補者が出店を希望している店舗に対する条件と、当該店舗の出店を希望するエリアを特定する希望エリア情報とを含む出店希望情報を、前記加盟候補者端末から受信し、
前記出店希望情報により特定されるエリアの少なくとも一部と重なるエリアに対応する会員である調査対象会員を選択し、
前記出店希望情報により特定される店舗情報を前記店舗情報データベースから取得し、
取得した前記店舗情報を、前記調査対象会員の前記会員端末に対して送信し、
店舗を特定する情報、会員を特定する情報、および当該店舗における当該会員の所定期間での利用想定額を含む利用想定情報を前記会員端末から受信し、
受信した前記利用想定情報を前記記憶装置に記憶し、
前記調査対象会員のそれぞれについて、過去に出店された店舗における前記所定期間での利用額の入力を受け付け、
当該過去に出店された店舗を特定する情報と、前記調査対象会員を特定する情報とに対応する過去の前記所定期間での利用想定額を前記記憶装置から取得し、取得した当該利用想定額と前記利用額とに応じて、当該調査対象会員の修正係数を決定し、
前記記憶装置に記憶されている前記利用想定情報に含まれている前記利用想定額に前記修正係数を乗じて店舗毎に集計した集計値を算出し、
前記集計値が所定値を超えた店舗について、当該店舗が出店する旨のメッセージを前記調査対象会員の前記会員端末に送信すること、
を特徴とする店舗の出店支援方法。
【請求項１１】
店舗の出店を支援する出店支援システムであって、
ＣＰＵと記憶装置とを備えるサーバ装置と、会員が操作する会員端末とが通信可能に接続して構成され、
前記サーバ装置は、
出店可能な店舗に関する店舗情報を記憶する店舗情報データベースと、会員により登録された、当該会員に関連する地図上のエリアを特定する情報であるエリア情報を会員毎に記憶するエリア情報データベースとのそれぞれにアクセスするデータベースアクセス部と、
会員を特定する情報と当該会員が出店を希望している店舗の条件とを含む出店要請を、前記会員端末から受信する出店要請受信部と、
前記出店要請により特定される会員に対応する前記エリア情報である出店対象エリア情報を前記エリア情報データベースから取得する出店対象エリア情報取得部と、
前記出店要請に含まれている前記条件に見合う前記店舗情報を前記店舗情報データベースから取得する店舗情報取得部と、
前記エリア情報データベースから、前記出店対象エリア情報により特定されるエリアの少なくとも一部と重なるエリアに対応する会員である調査対象会員を選択する調査対象会員選択部と、
前記調査対象会員の前記会員端末に対して前記取得した前記店舗情報を送信する店舗情報送信部と、
店舗を特定する情報、会員を特定する情報、および当該店舗における当該会員の所定期間での利用想定額を含む利用想定情報を前記会員端末から受信する利用想定情報受信部と、
受信した前記利用想定情報を記憶する利用想定情報記憶部と、
前記調査対象会員のそれぞれについて、過去に出店された店舗における前記所定期間での利用額の入力を受け付ける利用実績情報取得部と、
当該過去に出店された店舗を特定する情報と、前記調査対象会員を特定する情報とに対応する過去の前記所定期間での利用想定額を取得し、取得した当該利用想定額と前記利用額とに応じて、当該調査対象会員の修正係数を決定する修正係数更新部と、
前記利用想定情報記憶部に記憶されている前記利用想定情報に含まれている前記利用想定額に前記修正係数を乗じて店舗毎に集計した集計値を算出する利用想定額集計部と、
前記集計値が所定値を超えた店舗について、当該店舗が出店する旨のメッセージを前記調査対象会員の前記会員端末に送信するメッセージ送信部と、
を備えることを特徴とする出店支援システム。
【請求項１２】
店舗の出店を支援する出店支援システムであって、
ＣＰＵと記憶装置とを備えるサーバ装置と、会員が操作する会員端末と、店舗を出店する事業者の事業者端末とが互いに通信可能に接続して構成され、
前記サーバ装置は、
出店可能な店舗に関する店舗情報を記憶する店舗情報データベースと、会員により登録された、当該会員に関連する地図上のエリアを特定する情報であるエリア情報を会員毎に記憶するエリア情報データベースとのそれぞれにアクセスするデータベースアクセス部と、
事業者を特定する情報と、当該事業者が出店を希望している店舗の店舗情報を特定する情報と、当該店舗の出店を希望するエリアを特定する希望エリア情報とを含む出店調査要請を、前記事業者端末から受信する出店調査要請受信部と、
前記出店調査要請により特定されるエリアの少なくとも一部と重なるエリアに対応する会員である調査対象会員を選択する調査対象会員選択部と、
前記出店調査要請により特定される店舗情報を前記店舗情報データベースから取得する店舗情報取得部と、
取得した前記店舗情報を、前記調査対象会員の前記会員端末に対して送信する店舗情報送信部と、
店舗を特定する情報、会員を特定する情報、および当該店舗における当該会員の所定期間での利用想定額を含む利用想定情報を前記会員端末から受信する利用想定情報受信部と、
受信した前記利用想定情報を記憶する利用想定情報記憶部と、
前記調査対象会員のそれぞれについて、過去に出店された店舗における前記所定期間での利用額の入力を受け付ける利用実績情報取得部と、
当該過去に出店された店舗を特定する情報と、前記調査対象会員を特定する情報とに対応する過去の前記所定期間での利用想定額を取得し、取得した当該利用想定額と前記利用額とに応じて、当該調査対象会員の修正係数を決定する修正係数更新部と、
前記利用想定情報記憶部に記憶されている前記利用想定情報に含まれている前記利用想定額に前記修正係数を乗じて店舗毎に集計した集計値を算出する利用想定額集計部と、
前記集計値が所定値を超えた店舗について、当該店舗が出店する旨のメッセージを前記調査対象会員の前記会員端末に送信するメッセージ送信部と、
を備えることを特徴とする店舗の出店支援システム。
【請求項１３】
フランチャイズによる店舗の出店を支援する出店支援システムであって、
ＣＰＵと記憶装置とを備えるサーバ装置と、会員が操作する会員端末と、フランチャイズによる営業権を受諾して店舗を出店しようとしている加盟候補者の候補者端末とが互いに通信可能に接続して構成され、
前記サーバ装置は、
出店可能な店舗に関する店舗情報を記憶する店舗情報データベースと、会員により登録された、当該会員に関連する地図上のエリアを特定する情報であるエリア情報を会員毎に記憶するエリア情報データベースとのそれぞれにアクセスするデータベースアクセス部と、
加盟候補者を特定する情報と、当該加盟候補者が出店を希望している店舗に対する条件と、当該店舗の出店を希望するエリアを特定する希望エリア情報とを含む出店希望情報を、前記加盟候補者端末から受信する出店希望情報受信部と、
前記出店希望情報により特定されるエリアの少なくとも一部と重なるエリアに対応する会員である調査対象会員を選択する調査対象会員選択部と、
前記出店希望情報により特定される店舗情報を前記店舗情報データベースから取得し、
取得した前記店舗情報を、前記調査対象会員の前記会員端末に対して送信する店舗情報送信部と、
店舗を特定する情報、会員を特定する情報、および当該店舗における当該会員の所定期間での利用想定額を含む利用想定情報を前記会員端末から受信する利用想定情報受信部と、
受信した前記利用想定情報を記憶する利用想定情報記憶部と、
前記調査対象会員のそれぞれについて、過去に出店された店舗における前記所定期間での利用額の入力を受け付ける利用実績情報取得部と、
当該過去に出店された店舗を特定する情報と、前記調査対象会員を特定する情報とに対応する過去の前記所定期間での利用想定額を取得し、取得した当該利用想定額と前記利用額とに応じて、当該調査対象会員の修正係数を決定する修正係数更新部と、
前記利用想定情報記憶部に記憶されている前記利用想定情報に含まれている前記利用想定額に前記修正係数を乗じて店舗毎に集計した集計値を算出する利用想定額集計部と、
前記集計値が所定値を超えた店舗について、当該店舗が出店する旨のメッセージを前記調査対象会員の前記会員端末に送信するメッセージ送信部と、
を備えることを特徴とする店舗の出店支援システム。
【発明の詳細な説明】
【技術分野】
【０００１】
本発明は、出店支援方法および出店支援システムに関する。
【背景技術】
【０００２】
レストランやコンビニエンスストアなどのフランチャイズビジネスでは、店舗の出店に際して、競合他社の出店状況や通行量などを調査して売上予測などの市場調査を行うことが一般的に行われている。例えば、特許文献１には、地図情報システムを用いて商圏を評価するためのシステムが開示されている。
【特許文献１】特開２００１−１２５９５５号公報
【発明の開示】
【発明が解決しようとする課題】
【０００３】
従来の市場調査では、店舗の開発担当者などが実際に出店予定の地域において通行量を測定し、他の地域に出店済みの店舗の売上などを参考にして、出店予定の地域に実際に出店した場合における売上を予測する。しかしながら、その作業には膨大な時間とコストがかってしまう。また、出店予定地域に固有の特性や時間帯による利用者層の変化などの多くの要因によって、売上の予測は非常に困難になっている。
【０００４】
本発明は、このような背景を鑑みてなされたものであり、店舗における顧客の利用想定額を容易に取得することのできる、出店支援方法および出店支援システムを提供することを目的とする。
【課題を解決するための手段】
【０００５】
上記課題を解決するための本発明の主たる発明は、店舗の出店を支援する出店支援方法であって、ＣＰＵと記憶装置とを備えるコンピュータが、会員が操作する会員端末と通信可能に接続し、出店可能な店舗に関する店舗情報を記憶する店舗情報データベースと、会員により登録された、当該会員に関連する地図上のエリアを特定する情報であるエリア情報を会員毎に記憶するエリア情報データベースとのそれぞれにアクセス可能に接続し、会員を特定する情報と当該会員が出店を希望している店舗の条件とを含む出店要請を、前記会員端末から受信し、前記出店要請により特定される会員に対応する前記エリア情報である出店対象エリア情報を前記エリア情報データベースから取得し、前記出店要請に含まれている前記条件に見合う前記店舗情報を前記店舗情報データベースから取得し、前記エリア情報データベースから、前記出店対象エリア情報により特定されるエリアの少なくとも一部と重なるエリアに対応する会員である調査対象会員を選択し、前記調査対象会員の前記会員端末に対して前記取得した前記店舗情報を送信し、店舗を特定する情報、会員を特定する情報、および当該店舗における当該会員の所定期間での利用想定額を含む利用想定情報を前記会員端末から受信し、受信した前記利用想定情報を前記記憶装置に記憶し、前記調査対象会員のそれぞれについて、過去に出店された店舗における前記所定期間での利用額の入力を受け付け、当該過去に出店された店舗を特定する情報と、前記調査対象会員を特定する情報とに対応する過去の前記所定期間での利用想定額を前記記憶装置から取得し、取得した当該利用想定額と前記利用額とに応じて、当該調査対象会員の修正係数を決定し、前記記憶装置に記憶されている前記利用想定情報に含まれている前記利用想定額に前記修正係数を乗じて店舗毎に集計した集計値を算出し、前記集計値が所定値を超えた店舗について、当該店舗が出店する旨のメッセージを前記調査対象会員の前記会員端末に送信することとする。
【０００６】
本発明の出店支援方法によれば、会員から登録された利用想定情報がサーバ装置に登録されるので、事業者は精度の高い売上予測をすることが可能となる。したがって、事業者は、より効果的な出店計画を立案することができる。また、利用額は会員の過去の利用実績に応じて調整した上で集計されるので、より精度の高い売上予測が可能となる。
【０００７】
また、本発明の出店支援方法は、前記コンピュータが、利用可能な不動産に関する不動産情報と当該不動産の地図上の位置情報とを対応付けて記憶する不動産データベースにアクセス可能に接続し、前記店舗情報データベースに記憶されている前記店舗情報には、当該店舗を出店するのに必要な不動産に関する条件が含まれており、前記出店要請に含まれている前記店舗の条件に見合う前記店舗情報のうち、前記店舗情報に含まれている前記不動産に対する条件に見合う不動産情報が前記不動産情報データベースに登録されているものを取得するようにしてもよい。  
この場合、店舗として利用可能な不動産が存在する店舗についての情報のみを会員に通知することができる。したがって、確実に出店することができる店舗についての情報を提供することができる。すなわち、提供する情報の質を高めることができる。
【０００８】
また、本発明の出店支援方法では、前記店舗情報は、フランチャイズによる出店が可能な店舗に関する情報であり、前記コンピュータが、フランチャイズによる営業権を受諾して店舗を出店しようとしている加盟候補者を特定する情報と、当該加盟候補者が出店を希望している店舗の条件である出店希望条件とを含む候補者情報を記憶する候補者情報データベースにアクセス可能に接続し、前記出店要請に含まれている前記店舗の条件に見合う前記店舗情報のうち、前記候補者情報データベースに記憶されている前記出店希望条件の何れかに見合うものを取得するようにしてもよい。  
この場合、店舗のフランチャイズによる運営を行う加盟候補者が存在する店舗についての情報のみを会員に通知することができる。したがって、確実に出店することができる店舗についての情報を提供することができる。すなわち、提供する情報の質を高めることができる。
【００１０】
また、本発明の出店支援方法は、前記コンピュータが、店舗を出店する事業者の事業者端末と通信可能に接続し、前記店舗情報には、当該店舗を出店する事業者を特定する情報が含まれており、前記集計した前記利用想定額の前記集計値が前記所定値を超えた店舗について、対応する前記店舗情報により特定される事業者の前記事業者端末に対して前記メッセージを送信するようにしてもよい。
【００１２】
また、本発明の他の形態は、店舗の出店を支援する出店支援方法であって、ＣＰＵと記憶装置とを備えるコンピュータが、会員が操作する会員端末と通信可能に接続し、出店可能な店舗に関する店舗情報を記憶する店舗情報データベースと、会員により登録された、当該会員に関連する地図上のエリアを特定する情報であるエリア情報を会員毎に記憶するエリア情報データベースとのそれぞれにアクセス可能に接続し、会員を特定する情報と当該会員が出店を希望している店舗の条件とを含む出店要請を、前記会員端末から受信し、前記出店要請により特定される会員に対応する前記エリア情報である出店対象エリア情報を前記エリア情報データベースから取得し、前記出店要請に含まれている前記条件に見合う前記店舗情報を前記店舗情報データベースから取得し、前記エリア情報データベースから、前記出店対象エリア情報により特定されるエリアの少なくとも一部と重なるエリアに対応する会員である調査対象会員を選択し、前記調査対象会員の前記会員端末に対して前記取得した前記店舗情報を送信し、店舗を特定する情報、会員を特定する情報、および当該店舗における当該会員の所定期間での利用想定額を含む利用想定情報を前記会員端末から受信し、受信した前記利用想定情報を前記記憶装置に記憶し、前記調査対象会員のそれぞれについて、出店された店舗における前記所定期間での利用額の入力を受け付け、対応する前記利用想定額を前記利用額が上回っている場合に、当該会員に対してポイントを発行し、発行したポイントを会員毎に前記記憶装置に記憶することとする。この場合、周知の方法を用いて会員にポイントサービスを提供することができる。したがって、会員に対して利用想定額を登録するように動機付けを行うことができる。
【００１３】
また、前記エリア情報は、当該エリアに含まれる交差点および交差点間の道路に割り振られた道路番号のリストにより表現されるようにしてもよい。
【００１４】
また、本発明の出店支援方法は、前記コンピュータが、地図を表示するための地図情報を記憶する地図情報データベースと、地図上における交差点および交差点間の道路の位置情報を前記道路番号に対応付けて記憶する道路データベースとのそれぞれにアクセス可能に接続し、前記地図情報を前記会員端末に送信し、前記地図情報により表示される地図において会員から指定された領域を示す指定領域情報を前記会員端末から受信し、受信した前記指定領域情報により特定される領域に含まれる、前記交差点および前記道路の少なくとも何れかに対応する前記道路番号を前記道路データベースから取得し、取得した前記道路番号のリストを含むエリア情報を生成し、生成した前記エリア情報を前記エリア情報データベースに登録するようにしてもよい。
【００１５】
また、本発明の出店支援方法は、前記コンピュータが、前記店舗情報データベースから取得した前記店舗情報に応じて、対応する店舗の商圏となる当該店舗からの距離を決定し、前記出店対象エリア情報により特定されるエリアを前記距離分だけ拡大したエリアの少なくとも一部と重なるエリアに対応する会員を前記調査対象会員として前記エリア情報データベースから選択するようにしてもよい。この場合、出店対象となるエリアよりも、店舗の商圏距離分だけ広いエリアに関連する会員を調査対象会員として選択することができる。したがって、潜在的に顧客となりうる会員を確実に選択することができる。
【００１６】
また、本発明の他の形態は、店舗の出店を支援する出店支援方法であって、ＣＰＵと記憶装置とを備えるコンピュータが、会員が操作する会員端末、および店舗を出店する事業者の事業者端末のそれぞれと通信可能に接続し、出店可能な店舗に関する店舗情報を記憶する店舗情報データベースと、会員により登録された、当該会員に関連する地図上のエリアを特定する情報であるエリア情報を会員毎に記憶するエリア情報データベースとのそれぞれにアクセス可能に接続し、事業者を特定する情報と当該事業者が出店を希望している店舗の店舗情報を特定する情報と、当該店舗の出店を希望するエリアを特定する希望エリア情報とを含む出店調査要請を、前記事業者端末から受信し、前記出店調査要請により特定されるエリアの少なくとも一部と重なるエリアに対応する会員である調査対象会員を選択し、前記出店調査要請により特定される店舗情報を前記店舗情報データベースから取得し、取得した前記店舗情報を、前記調査対象会員の前記会員端末に対して送信し、店舗を特定する情報、会員を特定する情報、および当該店舗における当該会員の所定期間での利用想定額を含む利用想定情報を前記会員端末から受信し、受信した前記利用想定情報を前記記憶装置に記憶し、前記調査対象会員のそれぞれについて、過去に出店された店舗における前記所定期間での利用額の入力を受け付け、当該過去に出店された店舗を特定する情報と、前記調査対象会員を特定する情報とに対応する過去の前記所定期間での利用想定額を前記記憶装置から取得し、取得した当該利用想定額と前記利用額とに応じて、当該調査対象会員の修正係数を決定し、前記記憶装置に記憶されている前記利用想定情報に含まれている前記利用想定額に前記修正係数を乗じて店舗毎に集計した集計値を算出し、前記集計値が所定値を超えた店舗について、当該店舗が出店する旨のメッセージを前記調査対象会員の前記会員端末に送信することとする。この場合、事業者が店舗情報を指定して出店に係る調査を行うことができる。
【００１７】
また、本発明の他の形態は、フランチャイズによる店舗の出店を支援する出店支援方法であって、
ＣＰＵと記憶装置とを備えるコンピュータが、
会員が操作する会員端末、およびフランチャイズによる営業権を受諾して店舗を出店しようとしている加盟候補者の候補者端末のそれぞれと通信可能に接続し、出店可能な店舗に関する店舗情報を記憶する店舗情報データベースと、会員により登録された、当該会員に関連する地図上のエリアを特定する情報であるエリア情報を会員毎に記憶するエリア情報データベースとのそれぞれにアクセス可能に接続し、加盟候補者を特定する情報と、当該加盟候補者が出店を希望している店舗に対する条件と、当該店舗の出店を希望するエリアを特定する希望エリア情報とを含む出店希望情報を、前記加盟候補者端末から受信し、前記出店希望情報により特定されるエリアの少なくとも一部と重なるエリアに対応する会員である調査対象会員を選択し、前記出店希望情報により特定される店舗情報を前記店舗情報データベースから取得し、取得した前記店舗情報を、前記調査対象会員の前記会員端末に対して送信し、店舗を特定する情報、会員を特定する情報、および当該店舗における当該会員の所定期間での利用想定額を含む利用想定情報を前記会員端末から受信し、受信した前記利用想定情報を前記記憶装置に記憶し、前記調査対象会員のそれぞれについて、過去に出店された店舗における前記所定期間での利用額の入力を受け付け、当該過去に出店された店舗を特定する情報と、前記調査対象会員を特定する情報とに対応する過去の前記所定期間での利用想定額を前記記憶装置から取得し、取得した当該利用想定額と前記利用額とに応じて、当該調査対象会員の修正係数を決定し、前記記憶装置に記憶されている前記利用想定情報に含まれている前記利用想定額に前記修正係数を乗じて店舗毎に集計した集計値を算出し、前記集計値が所定値を超えた店舗について、当該店舗が出店する旨のメッセージを前記調査対象会員の前記会員端末に送信することとする。この場合、加盟候補者が店舗情報を指定して出店に係る調査を行うことができる。
【発明の効果】
【００１８】
本発明によれば、店舗における顧客の利用想定額を容易に取得することのできる、出店支援方法および出店支援システムを提供することができる。
【発明を実施するための最良の形態】
【００１９】
＝＝＝システム構成＝＝＝
図１は、本実施形態に係る出店支援システム１の全体構成を示す図である。出店支援システム１は、フランチャイズの店舗を出店する事業者による店舗の出店を支援するためのシステムである。本実施形態の出店支援システム１では、出店支援サービスの会員が、店舗の出店を要請するとともに、その店舗が出店された場合にその店舗において所定期間（例えば、１ヶ月など）に利用するであろう金額（以下、利用想定額という）をサーバ装置２０に登録する。サーバ装置２０に登録された利用想定額の合計値が所定額以上になった場合に、その店舗が出店される。
【００２０】
図１に示すように、出店支援システム１は、会員端末１０、サーバ装置２０、および事業者端末３０によって構成されている。会員端末１０、サーバ装置２０、および事業者端末３０はそれぞれ、通信ネットワーク４０を介して互いに通信可能に接続している。通信ネットワーク４０は、例えば、インターネットや公衆電話回線網、専用電話回線、フレームリレー網、ＡＴＭ（Asynchronous Transfer Mode）網などの通信路である。
【００２１】
会員端末１０は、出店支援サービスの会員が操作する、例えば、パーソナルコンピュータやワークステーション、ＰＤＡ（Personal Digital Assistance）、携帯電話などのコンピュータである。会員は、会員端末１０を操作して、出店を希望する店舗の条件や、その店舗での利用想定額をサーバ装置２０に登録する。
【００２２】
サーバ装置２０は、出店支援サービスを提供する、例えば、例えば、パーソナルコンピュータやワークステーション、メインフレームなどのコンピュータである。サーバ装置２０は、会員から店舗の条件や利用想定額を受け付けてデータベースに記憶する。
【００２３】
事業者端末３０は、フランチャイズの店舗の出店を計画しているフランチャイズ事業者が操作する、パーソナルコンピュータやワークステーション、ＰＤＡ、携帯電話などコンピュータである。事業者端末３０は、後述するように、予め設定した基準額を上回る利用想定額がサーバ装置２０に登録された場合にサーバ装置２０から通知を受ける。事業者は、サーバ装置２０からの通知に応じて、店舗の出店を行う。
【００２４】
＝＝＝コンピュータのハードウェア構成＝＝＝
図２は、会員端末１０および事業者端末３０に用いられるコンピュータの典型的なハードウェア構成を示す図である。図２に示すコンピュータは、ＣＰＵ１０１、メモリ１０２、記憶装置１０３、通信インタフェース１０４、入力装置１０５、出力装置１０６を備えている。
【００２５】
記憶装置１０３は、プログラムやデータを記憶する、例えば、ハードディスクドライブやＣＤ−ＲＯＭドライブなどである。ＣＰＵ１０１は、記憶装置１０３に記憶されているプログラムをメモリ１０２に読み出して実行することにより、後述する各種機能を実現する。通信インタフェース１０４は、通信ネットワーク４０を介して、サーバ装置２０などの他の機器との間で通信を行うためのインタフェースである。通信インタフェース１０４は、例えば、イーサネット（登録商標）アダプタや、ＡＴＭアダプタ、公衆電話回線に接続するモデムなどである。
【００２６】
入力装置１０５は、例えば、キーボードやマウス、タッチパネル、ペンタブレット、マイクなどの、会員からの入力を受け付ける装置である。出力装置１０６は、例えば、ディスプレイやプリンタ、スピーカなどの、データを出力する装置である。
【００２７】
＝＝＝会員端末１０＝＝＝
図３は、会員端末１０の機能ブロック図である。図３に示すように、会員端末１０は、エリア情報入力部１１１、エリア情報登録要求送信部１１２、希望店舗条件入力部１１３、出店要請送信部１１４、店舗情報受信部１１５、店舗情報出力部１１６、利用想定情報入力部１１７、利用想定情報送信部１１８、メッセージ受信部１１９、メッセージ出力部１２０を備えている。会員端末１０の備える各機能部は、会員端末１０のＣＰＵ１０１がメモリ１０２に記憶されているプログラムを実行することにより実現される。
【００２８】
エリア情報入力部１１１は、会員に関連する地図上のエリアを特定する情報（以下、エリア情報という）の入力を受け付ける。本実施形態では、エリア情報には、地図上のエリアに含まれる交差点および交差点間の道路に割り振られた道路番号のリストを用いるものとする。エリア情報入力部１１１は、ディスプレイなどの出力装置１０６に地図を表示し、マウスやペンタブレットなどの入力装置１０５から地図上のエリアの指定を受け付ける。また、エリア情報入力部１１１は、エリア情報とともに、会員が指定したエリアにつけた名称（以下、エリア名という）の入力を受け付ける。
【００２９】
エリア情報の入力に用いられるユーザインタフェースの一例を図４に示す。図４に示すように、エリア情報入力部１１１は、画面４００の地図領域４０１に地図を表示する。会員は、マウスなどの入力装置１０５を操作して楕円４０２などを地図上に描画してエリアを指定する。交差点や道路には道路番号が割り振られており、会員端末１０は、例えば、交差点４０３や道路４０４などの、楕円４０１で指定されるエリアの内部に含まれる交差点や道路に割り当てられている道路番号のリストを、入力されたエリア情報として受け付ける。画面４００の地図領域４０１の下部には、エリア名を入力する入力欄４０５が表示される。画面４００の登録ボタン４０６が押下されると、エリア情報登録要求送信部１１２は、エリア情報を登録するためのコマンド（以下、エリア情報登録要求という）をサーバ装置２０に送信する。エリア情報登録要求には、会員の識別情報（以下、会員ＩＤという）と、エリア情報入力部１１１に入力された、エリア情報とエリア名とが設定される。
【００３０】
希望店舗条件入力部１１３は、会員が出店を希望している店舗の条件（以下、希望店舗条件という）、および登録済みのエリアを指定するエリア名の入力を受け付ける。希望店舗条件としては、店舗の業種やブランドなど店舗に関する情報（以下、店舗情報という）の各項目についての条件が指定される。希望店舗条件として、例えば、「業種が『レストラン』であること」や「ブランドが『○○屋』であること」などを指定することができる。なお、店舗情報の詳細については後述する。
【００３１】
出店要請送信部１１４は、会員が希望する店舗の出店を要請するメッセージ（以下、出店要請という）をサーバ装置２０に送信する。出店要請には、上述した希望店舗条件、エリア名、および会員ＩＤが設定される。  
店舗情報受信部１１５は、サーバ装置２０から送信される店舗情報を受信する。  
店舗情報出力部１１６は、店舗情報受信部１１５が受信した店舗情報を、出力装置１０６に出力する。  
利用想定情報入力部１１７は、受信した店舗情報の店舗における利用想定額の入力を受け付ける。  
利用想定情報送信部１１８は、利用想定情報入力部１１７に入力された利用想定額と、店舗情報受信部１１５が受信した店舗情報の識別情報（以下、店舗ＩＤという）と、当該会員の会員ＩＤとを設定したデータ（以下、利用想定情報という）をサーバ装置２０に送信する。  
メッセージ受信部１１９は、サーバ装置２０からメッセージを受信する。サーバ装置２０から送信されるメッセージには、例えば、会員から要請された店舗が出店される、あるいは出店されないことを示すものなどがある。メッセージ出力部１２０は、メッセージ受信部１１９が受信したメッセージを出力装置１０６に出力する。
【００３２】
＝＝＝事業者端末３０＝＝＝
図５は、事業者端末３０の機能ブロック図である。図５に示すように、事業者端末３０は、店舗情報入力部３１１、店舗情報登録要求送信部３１２、利用実績情報取得部３１３、利用実績情報送信部３１４、メッセージ受信部３１５、メッセージ出力部３１６を備えている。事業者端末３０の備える各機能部は、事業者端末３０のＣＰＵ１０１がメモリ１０２に記憶されているプログラムを実行することにより実現される。
【００３３】
店舗情報入力部３１１は、事業者から、出店可能な店舗の業種や業態などの店舗情報と、出店対象となるエリアの条件（以下、エリア指定条件という）との入力を受け付ける。エリア指定条件としては、道路番号のリスト（エリア情報）、「駅」に対する条件、および「道路」に対する条件がある。道路番号のリストは、上述した会員端末１０によるエリア情報の入力と同様にして、図４に示した画面４００を介して入力される。「駅」に対する条件には、出店する店舗の最寄駅の駅名を指定したもの、あるいは、出店する店舗の最寄駅となる駅の住所や乗降客数、人口などの指定をしたものがある。「道路」に対する条件には、出店する店舗の住所と、その住所の道路や交差点における交通量などを指定したものがある。  
店舗情報登録要求送信部３１２は、店舗情報を登録するためのコマンド（以下、店舗情報登録要求という）をサーバ装置２０に送信する。店舗情報登録要求には、店舗情報入力部３１１に入力された店舗情報とエリア指定条件とが設定される。
【００３４】
利用実績情報取得部３１３は、事業者が出店した店舗において所定期間に会員が利用した利用額を取得する。例えば、出店された店舗においてＰＯＳ（Point Of Sales）端末が会員カードやキー入力などによって会員の利用額を記録している場合、利用実績情報取得部３１３は、各店舗のＰＯＳ端末やＰＯＳ端末のデータを管理するストアコンピュータ、ストアコンピュータのデータを集中管理する事業者のホストコンピュータなどに接続して利用額を取得するようにすることができる。また、利用実績情報取得部３１３は、事業者からの入力により会員の利用額を取得するようにしてもよい。  
利用実績情報送信部３１４は、会員ＩＤと、利用対象となった店舗の店舗ＩＤと、その会員のその店舗での利用額と、を設定したデータ（以下、利用実績情という）をサーバ装置２０に送信する。
【００３５】
メッセージ受信部３１５は、サーバ装置２０からメッセージを受信する。サーバ装置２０から送信されるメッセージには、例えば、会員から要請された店舗が出店される、あるいは出店されないことを示すものなどがある。  
メッセージ出力部３１６は、メッセージ受信部３１６が受信したメッセージを出力装置１０６に出力する。
【００３６】
＝＝＝サーバ装置２０＝＝＝
図６は、サーバ装置２０のハードウェア構成を示す図である。図６に示すように、サーバ装置２０は、ＣＰＵ２０１、メモリ２０２、記憶装置２０３、通信インタフェース２０４を備えている。
【００３７】
記憶装置２０３は、プログラムやデータを記憶する、例えば、ハードディスクドライブやＣＤ−ＲＯＭドライブなどである。ＣＰＵ２０１は、記憶装置２０３に記憶されているプログラムをメモリ２０２に読み出して実行することにより、後述する各種機能を実現する。通信インタフェース２０４は、通信ネットワーク４０を介して、会員端末１０や事業者端末３０との間で通信を行うためのインタフェースである。通信インタフェース２０４は、例えば、イーサネット（登録商標）アダプタやＡＴＭアダプタ、公衆電話回線に接続するモデムなどである。
【００３８】
図７は、サーバ装置２０の機能ブロック図である。図７に示すように、サーバ装置２０は、エリア情報登録要求受信部２１１、エリア情報登録部２１２、出店要請受信部２１３、店舗情報取得部２１４、調査対象会員選択部２１５、店舗情報送信部２１６、利用想定情報受信部２１７、利用想定額集計部２１８、メッセージ送信部２１９、店舗情報登録要求受信部２２０、店舗情報登録部２２１、利用実績情報受信部２２２、修正係数更新部２２３、ポイント発行部２２４、データベースアクセス部２５０、会員情報データベース２５１、店舗情報データベース２５２、加盟候補者データベース２５３、不動産データベース２５４、利用想定情報データベース２５５、道路データベース２５６、駅データベース２５７、既存店情報データベース２５８を備えている。
【００３９】
サーバ装置２０の備える各機能部は、ＣＰＵ２０１がメモリ２０２に記憶されているプログラムを実行することにより実現される。また、サーバ装置２０の備える各データベースは、メモリ２０２や記憶装置２０３が提供する記憶領域に構築される。なお、サーバ装置２０とは異なる外部のコンピュータにデータベースを構築し、通信路を介してデータベースにアクセスするようにしてもよい。この場合、通信路としては、例えば、ＬＡＮやＳＡＮ（Storage Area Network）を用いることができる。
【００４０】
会員情報データベース２５１（本発明の「エリア情報データベース」に該当する）は、会員の氏名やメールアドレスなど会員に関する情報（以下、会員情報という）を記憶する。図８に会員情報データベース２５１の一構成例を示す。図８に示すように、会員情報データベース２５１に記憶される会員情報には、会員ＩＤ、会員の氏名、住所、メールアドレス、会員に付与されたポイント、修正係数、登録エリアが設定される。ポイントは、後述するように、登録された利用想定額に応じて会員に付与されるポイントの残高である。会員情報のポイントは、例えば、店舗での割引や景品の贈呈などの、一般的なポイントサービスに用いられる。修正係数は、会員から登録される利用想定額に対する信頼度を表す数値であり、過去の会員の利用想定額と利用額との差額に応じて決定される。修正係数は、例えば、０．０〜１．０の値である。後述するように、サーバ装置２０は、店舗での利用想定額を集計する際に、利用想定額に修正係数を乗算して利用想定額を調整する。登録エリアには、上述したように会員端末１０で会員が設定するエリア名とエリア情報とが対応付けられて設定される。登録エリアには、複数のエリア情報を登録することができる。
【００４１】
店舗情報データベース２５２は、事業者が出店可能な店舗の店舗情報を記憶する。図９に店舗情報データベース２５２の構成例を示す。図９に示すように、店舗情報データベース２５２に記憶される店舗情報には、店舗ＩＤ、店舗を出店する事業者の名称、店舗の業種、業態、ブランド、出店形態、店舗面積、出店対象となるエリア情報、出店基準額、商圏距離が設定される。業態としては、建物内に出店する「ビルイン」や、道路沿いなどに敷地を確保して出店する「ロードサイド」がある。出店形態には、事業者が主体となって出店する「直営」と、フランチャイズによる営業権を許諾する「フランチャイズ」がある。店舗面積は、出店する店舗に必要な面積の条件である。出店基準額は、想定される売上額がいくら以上であれば事業者が店舗を出店するかを決定するための閾値である。商圏距離は、当該店舗の商圏となる店舗からの距離である。
【００４２】
加盟候補者データベース２５３は、フランチャイズによる営業権を受諾して店舗を出店しようとしている加盟候補者に関する情報（以下、候補者情報という）を記憶する。図１０に、加盟候補者データベース２５３の構成例を示す。図１０に示すように、加盟候補者データベース２５３に記憶される候補者情報には、加盟候補者の会社名、住所、メールアドレス、規模、財務情報、希望店舗条件が設定される。財務情報には、例えば、資本金や売上高などの、フランチャイズ事業者が加盟候補者に営業権を許諾するかどうかを判断するために必要な情報である。希望店舗条件は、加盟候補者が出店を希望する店舗の条件である。
【００４３】
不動産データベース２５４は、店舗として利用可能な不動産に関する情報（以下、不動産情報という）を記憶する。図１１に、不動産データベース２５４の構成例を示す。図１１に示すように、不動産データベース２５４に記憶される不動産情報には、不動産の位置する住所、地図上の座標、当該不動産に出店可能な店舗の業態を示す適応業態、不動産の面積、その不動産を取り扱う不動産会社の連絡先が設定される。
【００４４】
利用想定情報データベース２５５（本発明の「利用想定情報記憶部」に該当する）は、利用想定情報を記憶する。図１２に利用想定情報データベース２５５の構成例を示す。図１２に示すように、利用想定情報データベース２５５に記憶される利用想定情報には、店舗ＩＤ、会員ＩＤ、利用想定額が設定される。
【００４５】
道路データベース２５６は、交差点や道路の座標と、その交差点や道路の交通量を管理する。図１３に道路データベース２５６の構成例を示す。図１３に示すように、道路データベースには道路番号に対応付けて、住所、交差点や道路の地図上の座標、および交通量が登録される。
【００４６】
駅データベース２５７は、電車などの駅に関する情報（以下、駅情報という）を記憶する。図１４に駅データベース２５７の構成例を示す。図１４に示すように、駅データベース２５７に記憶される駅情報には、駅名、駅の住所、駅の地図上の座標、乗降客数、駅近辺の人口、駅近辺における小売販売額などが設定される。
【００４７】
既存店情報データベース２５８は、事業者により既に出店されている店舗に関する情報（以下、既存店情報という）が記憶される。図１５に既存店情報データベース２５８の構成を示す。図１５に示すように、既存店情報データベース２５８に記憶される既存店情報には、店舗ＩＤ、事業者、業種、業態、ブランド、出店形態、店舗の地図上の座標、商圏距離が設定される。商圏距離は、当該店舗の商圏となる店舗からの距離である。
【００４８】
データベースアクセス部２５０は、上述した各データベースに対するデータの入出力を行う、例えば、ドライバソフトウェアなどである。サーバ装置２０の備える各機能部は、データベースアクセス部２５０を介して各データベースにアクセスする。
【００４９】
エリア情報登録要求受信部２１１は、会員端末１０から送信されるエリア情報登録要求を受信する。  
エリア情報登録部２１２は、会員情報データベース２５１に記憶されている会員情報の登録エリアに、エリア情報登録要求受信部２１１が受信したエリア情報登録要求に設定されているエリア名とエリア情報とを対応付けて設定する。  
出店要請受信部２１３は、会員端末１０から送信される出店要請を受信する。  
店舗情報取得部２１４は、出店要請に応じた店舗情報を店舗情報データベース２５２から取得する。なお、店舗情報の取得処理の詳細については後述する。
【００５０】
調査対象会員選択部２１５（本発明の「調査対象会員選択部」および「出店対象エリア情報取得部」に該当する）は、出店要請に関連するエリアを登録している会員（以下、調査対象会員という）の会員情報を会員情報データベース２５１から取得する。具体的には、調査対象会員選択部２１５は、出店要請に設定されるエリア名に対応するエリア情報を会員情報データベース２５１から取得し、取得したエリア情報により特定されるエリアの一部と重なるエリアのエリア情報が設定されている会員（以下、調査対象会員という）の会員情報を会員情報データベース２５１から取得する。本実施形態において、あるエリア情報の一部と他のエリア情報とが重なるかどうかの判断は、あるエリア情報に含まれる道路番号の何れかが、他のエリア情報に含まれているかどうかに応じて行われる。
【００５１】
店舗情報送信部２１６は、調査対象会員のそれぞれに対して、店舗情報取得部２１４が取得した店舗情報を記載した電子メールを、調査対象会員の会員情報に設定されているメールアドレスに対して送信する。  
利用想定情報受信部２１７は、会員端末１０から送信される利用想定情報を受信し、受信した利用想定情報を利用想定情報データベース２５５に登録する。  
利用想定額集計部２１８は、利用想定情報データベース２５５に登録されている利用想定情報の利用想定額を店舗毎に集計する。本実施形態では、集計値として合計値を用いるものとするが、合計値以外にも平均値や中央値などを用いるようにすることもできる。なお、利用想定額の集計処理の詳細については後述する。
【００５２】
メッセージ送信部２１９は、利用想定額集計部２１８が集計した利用想定額の合計値が、店舗情報の出店基準額を超えているかどうかに応じて、その店舗が出店されるかどうかを示すメッセージを、会員端末１０および事業者端末３０のそれぞれに送信する。  
店舗情報登録要求受信部２２０は、事業者端末３０から送信される店舗情報登録要求を受信する。  
店舗情報登録部２２１は、店舗情報登録要求受信部２２０が受信した店舗情報登録要求に設定されている店舗情報を、店舗情報データベース２５２に登録する。このとき、店舗情報登録部２２１は、店舗情報登録要求に設定されているエリア指定条件に見合うエリア情報を決定し、決定したエリア情報を店舗情報に設定する。なお、店舗情報の登録処理の詳細については後述する。  
利用実績情報受信部２２２は、事業者端末３０から送信される利用実績情報を受信する。  
修正係数更新部２２３は、利用実績情報に設定されている利用額に応じて、会員情報の修正係数を更新する。修正係数の更新処理の詳細については後述する。
【００５３】
ポイント発行部２２４は、利用実績情報に設定されている利用額が、利用想定情報データベース２５５に記憶されている利用想定情報の利用想定額を超えている場合に、利用実績情報の利用額に応じたポイントを会員に発行し、発行したポイントを会員情報のポイントに加算する。なお、ポイント発行部２２４によるポイントの発行処理の詳細については後述する。
【００５４】
＝＝＝エリア情報の決定処理＝＝＝
サーバ装置２０は、事業者端末３０から店舗情報登録要求を受信すると、受信した店舗情報登録要求に設定されている店舗情報を店舗情報データベース２５２に登録する。このとき、エリア指定条件に応じてエリア情報が決定される。図１６は、エリア指定条件に応じてエリア情報を決定する処理の流れを示す図である。
【００５５】
サーバ装置２０は、店舗情報登録要求に設定されているエリア指定条件として、「エリア情報」が設定されているか、「駅」についての条件指定されているか、「道路」についての条件が指定されているかを判断する（Ｓ７０１）。  
エリア指定条件としてエリア情報が指定されている場合（Ｓ７０１：エリア情報）、エリア情報に含まれる道路番号に対応する道路情報を道路データベース２５６から取得する（Ｓ７０２）。
【００５６】
エリア指定条件として「駅」についての条件が指定されている場合（Ｓ７０１：駅）、サーバ装置２０は、駅名が指定されていれば（Ｓ７０３：ＹＥＳ）、指定されている駅名に対応する駅情報を駅データベース２５７から取得する（Ｓ７０４）。駅名が指定されていない場合（Ｓ７０３：ＮＯ）には、サーバ装置２０は、条件として指定されている駅の乗客数や駅近辺の人口などに見合う駅情報を駅データベース２５７から取得する（Ｓ７０５）。サーバ装置２０は、上記のように取得した駅情報の座標から、店舗情報登録要求に設定されていた店舗情報の商圏距離を半径とした範囲のエリアを特定し、特定したエリアに座標が含まれる道路情報を道路データベース２５６から取得する（Ｓ７０６）。
【００５７】
一方、エリア指定条件として「道路」についての条件が指定されている場合（Ｓ７０１：道路）、サーバ装置２０は、エリア指定条件に指定されている住所の条件に見合う住所である道路情報を道路データベース２５６から取得する（Ｓ７０７）。サーバ装置２０は、取得した道路情報の座標から、店舗情報の商圏距離を半径とした範囲のエリアを特定し、特定したエリアに座標が含まれる道路情報を道路データベース２５６から取得する（Ｓ７０８）。
【００５８】
サーバ装置２０は、既存店情報データベース２５８に記憶されている既存店情報のそれぞれについて座標から商圏距離を半径とした範囲を算出し、上記（Ｓ７０２）、（Ｓ７０６）および（Ｓ７０８）で取得した道路情報から、上記算出した範囲の何れかに含まれるものを除外して（Ｓ７０９）、店舗情報データベース２５２の店舗情報のエリア情報に設定する（Ｓ７１０）。
【００５９】
このようにして、サーバ装置２０は、店舗情報登録要求に設定されているエリア指定条件に応じたエリアを決定し、出店可能な店舗のエリア情報を設定することができる。したがって、事業者は駅名や乗降客数、人口、道路の交通量などを指定することにより、容易に出店対象となるエリアを指定することができる。また、上記のエリア情報からは、既存店の商圏が除外されるため、商圏の重複などを回避することができる。よって、事業者は既存店の商圏との重複を危惧することなく、新規の出店計画を立案することができる。
【００６０】
なお、上記商圏に含まれる道路情報の除外については、簡単のため、既存店情報データベース２５８に記憶されている全ての既存店情報を対象として検査するものとしたが、もちろん、店舗情報登録要求に設定されていた店舗情報の業種やブランドと同じ業種やブランドの既存店情報のみを対象とするようにしてもよい。
【００６１】
＝＝＝出店要請に応じた店舗情報の取得処理＝＝＝
図１７は、出店要請に応じた店舗情報の取得処理を説明する図である。  
サーバ装置２０は、会員端末１０から出店要請を受信すると、出店要請に設定されている会員ＩＤおよびエリア名に対応するエリア情報（以下、希望エリア情報という）を会員情報データベース２５１から取得する（Ｓ７２１）。また、サーバ装置２０は、出店要請に見合う店舗情報を店舗情報データベース２５２から取得する（Ｓ７２２）。この店舗情報を取得する処理の詳細については後述する。
【００６２】
サーバ装置２０は、会員情報データベース２５１に記憶されている会員情報のそれぞれのエリア情報に、上記希望エリア情報に含まれる道路番号のうちの何れかが含まれているかどうかを検査し、上記道路番号の何れかが会員情報のエリア情報に含まれている場合にその会員情報を取得する（Ｓ７２３）。このようにして、サーバ装置２０は調査対象会員を選択する。  
サーバ装置２０は、取得した会員情報のメールアドレスを宛先として、店舗情報と、その店舗の出店が要請されている旨のメッセージが添付された電子メールを送信する（Ｓ７２４）。
【００６３】
図１８は、上記（Ｓ７２３）において、店舗情報データベース２５２から店舗情報を取得する処理の流れを示す図である。サーバ装置２０は、店舗情報データベース２５２に登録されている店舗情報のそれぞれについて、図１８に示す処理を行う。
【００６４】
サーバ装置２０は、希望エリア情報に含まれている道路番号の何れかが、店舗情報のエリア情報に含まれているかどうかを調べる（Ｓ７４１）。希望エリア情報に含まれている道路番号の何れかが店舗情報のエリア情報に含まれている場合（Ｓ７４１：ＹＥＳ）、サーバ装置２０は、出店要請に設定されている希望店舗条件に店舗情報が見合うかどうかを調べる（Ｓ７４２）。  
サーバ装置２０は、希望店舗条件に店舗情報が見合う場合（Ｓ７４２：ＹＥＳ）、不動産情報のうち、適用業態が店舗情報の業態と一致し、面積が店舗情報の店舗面積に見合うものが不動産データベース２５４に登録されているかどうかを調べる（Ｓ７４３）。
【００６５】
上記の不動産情報が登録されている場合（Ｓ７４３：ＹＥＳ）に、店舗情報の出店形態が「フランチャイズ」であるとき（Ｓ７４４：ＹＥＳ）、サーバ装置２０は、候補者情報のうち希望店舗条件が店舗情報に見合うものが加盟候補者データベース２５３に登録されているかどうかを調べる（Ｓ７４５）。  
店舗情報の出店形態が「フランチャイズ」でない場合（Ｓ７４４：ＮＯ）、または上記の候補者情報が登録されている場合（Ｓ７４５：ＹＥＳ）には、サーバ装置２０は、その店舗情報を取得する（Ｓ７４６）。
【００６６】
上記説明したように、本実施形態の出店支援システム１では、何れかの会員がエリアを指定して店舗の出店を要請すると、要請された店舗についての店舗情報が、指定されたエリアに関連する会員に送信される。すなわち、店舗が出店された場合に顧客となる可能性の高い会員に対して、店舗の出店に関するメッセージを送信することができるので、宣伝効果が高い。また、例えば、あまり有名ではない事業者の店であっても、その店の存在を他の会員に広く知らしめることができる。これにより、潜在的なニーズを発掘することができる。
【００６７】
さらに、出店が要請された店舗に見合う不動産が存在すること、およびフランチャイズによる出店を引き受ける加盟候補者が存在することを確認した上で、店舗の情報が会員に送信される。したがって、会員は確実に出店可能な店舗についての情報を受け取ることができる。すなわち、会員に対して提供する情報の質を高めることができる。
【００６８】
なお、上記（Ｓ７２３）において、サーバ装置２０は、会員情報データベース２５１に記憶されている会員情報のそれぞれのエリア情報について、希望エリア情報を店舗情報の商圏距離分だけ拡大した範囲に含まれる道路番号を道路データベース２５６から取得し、取得した道路番号の何れかが会員情報のエリア情報に含まれている場合に、その会員情報を取得するようにしてもよい。この場合、出店要請により特定されるエリアよりも、店舗の商圏距離分だけ広いエリアに関連する会員を調査対象会員として選択することができる。したがって、潜在的に顧客となりうる会員を確実に選択することができる。
【００６９】
＝＝＝出店可否の判断処理＝＝＝
会員は、サーバ装置２０から電子メールによる店舗に関する情報の通知を受けると、会員端末１０を用いて、利用可能額をサーバ装置２０に登録する。サーバ装置２０は、所定の期間（例えば、２週間や１ヶ月、３ヶ月など）に、会員から登録された利用想定額を集計する。その集計値が、事業者によって設定された出店基準額を超えている場合、店舗が事業者によって出店される。図１９は、サーバ装置２０による上記の集計処理の流れを示す図である。サーバ装置２０は、店舗情報データベース２５２に登録されている店舗情報のそれぞれについて、以下の処理を行う。
【００７０】
サーバ装置２０は、利用想定情報データベース２５５から、店舗情報の店舗ＩＤをキーとして、利用想定情報を取得する（Ｓ７６１）。サーバ装置２０は、利用想定情報の会員ＩＤに対応する会員情報を会員情報データベース２５１から取得する（Ｓ７６２）。サーバ装置２０は、利用想定情報の利用想定額と、対応する会員情報の修正係数とを乗じた数を合計する（Ｓ７６２）。
【００７１】
合計値が店舗情報の出店基準額を超えている場合（Ｓ７６３：ＹＥＳ）、サーバ装置２０は、店舗が出店される旨のメッセージを事業者端末３０に送信する。また、サーバ装置２０は、上述した調査対象会員の会員情報に設定されているメールアドレスを宛先として、上記メッセージを電子メールとして送信する（Ｓ７６４）。
【００７２】
一方、合計値が店舗情報の出店基準額を超えない場合（Ｓ７６３：ＮＯ）、サーバ装置２０は、店舗が出店されない旨のメッセージを事業者端末３０と、調査対象会員のメールアドレスとに送信する（Ｓ７６５）。  
サーバ装置２０は、店舗情報を店舗情報データベース２５２から削除する（Ｓ７６６）。
【００７３】
上記のように、会員から登録された利用想定額の合計値が、所定の基準値を超えた場合に、店舗の出店がなされる旨の通知が会員と事業者に行われる。したがって、事業者は、利用想定額の合計値、すなわち売上の予測値が予め設定した出店基準値をクリアした場合に出店を行うことができる。よって、事業者は、市場調査に係る手間や費用を軽減しつつ、より効果的な出店が可能となる。
【００７４】
また、事業者は、出店予定のエリアでの店舗の利用が想定される顧客を容易に把握することが可能となる。
【００７５】
さらに、集計の対象となる利用想定額は、会員の過去の利用実績に応じた修正係数によって調整された上で合計されるので、より精度の高い売上予測が可能となる。したがって、本実施形態の出店支援システム１の信頼性を高めることができるので、より多くの事業者の出店支援システム１の利用を促進することができる。これにより、多様な店舗の出店を希望する会員のニーズに対応することができる。
【００７６】
＝＝＝利用実績の受付処理＝＝＝
店舗が出店されると、出店された店舗において、例えば、会員カードなどの利用によって、会員の利用履歴が記録され、会員によって店舗において所定期間（例えば、１ヶ月など）に利用された金額が事業者端末３０からサーバ装置２０に送信される。図２０は、事業者端末３０からサーバ装置２０に利用実績情報が登録された場合に行われる処理の流れを示す図である。
【００７７】
サーバ装置２０は、事業者端末３０から利用実績情報を受信すると（Ｓ７８１）、受信した利用実績情報に設定されている会員ＩＤおよび店舗ＩＤをキーとして、利用想定情報を利用想定情報データベース２５５から取得する（Ｓ７８２）。
【００７８】
利用実績情報の利用額が利用想定情報の利用想定額を超えている場合には（Ｓ７８３：ＹＥＳ）、サーバ装置２０は、利用実績情報の利用額に応じたポイントを、会員ＩＤに対応する会員情報のポイントに加算する（Ｓ７８４）。例えば、サーバ装置２０は、利用実績情報の利用額の所定割合（例えば、１％）をポイントとして発行する。
【００７９】
一方、利用額が利用想定額を超えていない場合には（Ｓ７８３：ＮＯ）、サーバ装置２０は、利用額と利用想定額との商を修正係数として会員情報データベース２５１の会員情報を更新する（Ｓ７８５）。
【００８０】
このように、会員は利用想定額を登録することによる見返りとして、ポイントサービスを受けることになるので、会員への利用想定額を登録することに対する動機付けを行うことができる。したがって、より多くの会員からの利用想定額が登録されることが期待できる。よって、より母数が大きくなり、精度の高い売上予測が可能となる。
【００８１】
さらに、利用想定額を上回る利用をした会員に対してのみポイントを発行し、実際の利用額が利用想定額を超えない場合にはその会員が以後登録する利用想定額を割り引いて計算するように修正係数を設定するため、会員がより実際に利用するであろう金額に近い利用想定額の登録が行うことが期待される。したがって、より正確な売上予測を行うことが可能となり、事業者は、市場調査に係る手間や費用を低減しながらも、より正確な売上予測に基づく出店計画を立てることができる。よって、事業者はより効果的な店舗展開を行うことが可能となる。
【００８２】
また、利用想定額を登録する会員は、出店が要請されているエリアに関連する会員であるので、店舗の利用者層を確実に調査対象とすることができる。したがって、利用者層の変化による予測誤差を抑えることができる。
【００８３】
なお、本実施形態では、会員端末１０は、道路番号のリストをエリア情報としてサーバ装置２０に送信するものとしたが、会員から指定された地図上のエリアの境界を示す、例えば、楕円の中心の位置情報と径の長さや、多角形の各頂点の位置情報などの情報（本発明の「領域指定情報」に該当する）をエリア情報登録要求に設定してサーバ装置２０に送信するようにしてもよい。この場合、サーバ装置２０が受信したエリア情報登録要求に設定されている情報によって特定されるエリア情報に含まれる道路番号を道路データベース２５６から特定するようにすることができる。これにより、各端末に道路番号を管理する必要がなくなるため、交差点や道路が新設されたり廃止されたりしたような場合にも、サーバ装置２０に管理されている道路番号の道路データベース２５６を更新するだけでよいため、メンテナンス性が高くなる。
【００８４】
また、本実施形態では、簡単のため、想定される売上額が出店基準売上額を上回ると自動的に店舗が出店されるものとしたが、例えば、事業者がメッセージの通知に応じて、加盟候補者や不動産、利用想定情報などを参照して、出店の可否を決定するようにしてもよい。
【００８５】
また、本実施形態では、出店された店舗における会員の利用額に応じてポイントを発行するようにしたが、例えば、利用想定額や、利用想定額に修正係数を乗じた額に応じて発行するようにしてもよい。この場合、会員は、より多くのポイントを入手するべく、実際の利用額を超えない程度に、より利用額に近い利用想定額を登録するようになる。したがって、より精度の高い売上予測が可能となる。
【００８６】
＝＝＝事業者による出店要請について＝＝＝
本実施形態では、会員が店舗の出店を要請することを想定しているが、事業者が店舗の出店を要請することも可能である。  
この場合、事業者端末３０は、事業者が出店しようとしている店舗に対する利用額を登録するように要請するコマンド（以下、出店調査要請という）をサーバ装置２０に送信する出店調査要請送信部を備える。出店調査要請には、事業者が出店を希望している店舗を特定する店舗ＩＤが設定される。
【００８７】
サーバ装置２０の出店要請受信部２１３は、会員端末１０からの出店要請に替えて、事業者端末３０から送信される出店調査要請を受信する（本発明の「出店調査要請受信部」に該当する）。サーバ装置２０の店舗情報送信部２１６は、出店要請受信部２１３が事業者端末３０から出店調査要請を受信すると、出店が希望されている店舗に関する店舗情報を調査対象会員に送信する。  
サーバ装置２０の店舗情報取得部２１４は、上述した図１８に示す処理において、出店調査要請に設定されている店舗ＩＤに対応する店舗情報について、（Ｓ７４３）から処理を開始する。  
サーバ装置２０の調査対象会員選択部２１５は、出店調査要請に指定されている店舗ＩＤに対応する店舗情報のエリア情報を店舗情報データベース２５２から取得し、取得したエリア情報により特定されるエリアの一部と重なるエリアのエリア情報が設定されている会員情報を会員情報データベース２５１から取得する。
【００８８】
以上のようにして、事業者が店舗情報を指定して出店に係る調査を行うことができる。事業者は、予め店舗が出店される売上の予測値に対する最小限度設定しておくことができるので、事業者は店舗への投資金額などの準備をより容易に行うことができる。したがって、事業者は効率的に出店計画を立案することができる。
【００８９】
＝＝＝加盟候補者からの出店要請について＝＝＝
また、フランチャイズによる営業権を受諾して店舗を出店しようとしている加盟候補者が、出店を要請することも可能である。
【００９０】
図２１は、加盟候補者が操作する候補者端末５０を加えた出店支援システム１’の全体構成を示す図である。図２１に示すように、候補者端末５０は、会員端末１０や事業者端末３０と同様に、通信ネットワーク４０に接続し、サーバ装置２０との間での通信が可能となっている。  
候補者端末５０のハードウェア構成は、図２に示した会員端末１０や事業者端末３０と同様のものである。
【００９１】
図２２は、候補者端末５０の機能ブロック図である。図２２に示すように、候補者端末５０は、希望店舗条件入力部５１１、候補者出店要請送信部５１２、メッセージ受信部５１３、メッセージ出力部５１４を備える。
【００９２】
希望店舗条件入力部５１１は、加盟候補者の希望店舗条件と、店舗の出店を希望するエリアのエリア情報との入力を受け付ける。希望店舗条件入力部５１１は、例えば、上述した図４に示す画面４００のような画面により、地図上のエリアの指定を受け付け、希望店舗条件の入力をキーボードやマウスなどの入力装置１０５から受け付ける。
【００９３】
候補者出店要請送信部５１２は、加盟候補者が店舗の出店を要請するメッセージ（以下、候補者出店要請という）（本発明の「出店希望情報」に該当する）をサーバ装置２０に送信する。候補者出店要請には、希望店舗条件入力部５１１に入力された希望店舗条件とエリア情報とが設定される。
【００９４】
メッセージ受信部５１３は、サーバ装置２０からメッセージを受信する。サーバ装置２０から送信されるメッセージには、例えば、会員から要請された店舗が出店される、あるいは出店されないことを示すものなどがある。メッセージ出力部５１４は、メッセージ受信部５１３が受信したメッセージを出力装置１０６に出力する。
【００９５】
この場合、サーバ装置２０の出店要請受信部２１３は、会員端末１０からの出店要請に替えて、候補者端末５０から送信される、候補者出店要請を受信する（本発明の「出店希望情報受信部」に該当する）。サーバ装置２０の店舗情報送信部２１６は、候補者端末５０から候補者出店要請を受信すると、出店が希望されている店舗に関する店舗情報を調査対象会員に送信する。
【００９６】
サーバ装置２０の店舗情報取得部２１４は、上述した図１８に示す処理において、出店調査要請に設定されている店舗ＩＤに対応する店舗情報について、（Ｓ７４３）から処理を開始する。  
サーバ装置２０の店舗情報取得部２１４は、業態が「フランチャイズ」である店舗情報について、上述した図１８に示す処理を行う。このとき、（Ｓ７４４）および（Ｓ７４５）の処理は省略することができる。
【００９７】
以上のようにして、加盟候補者がエリアや店舗の条件を指定して出店を要請することができる。フランチャイズによる営業権を提供可能な事業者の検索と、店舗を出店した場合の売上予測とが同時に行われるため、加盟候補者の出店に係る市場調査を容易にかつ低コストに行うことができる。
【００９８】
以上、本実施の形態について説明したが、上記実施例は本発明の理解を容易にするためのものであり、本発明を限定して解釈するためのものではない。本発明は、その趣旨を逸脱することなく、変更、改良され得ると共に、本発明にはその等価物も含まれる。
【図面の簡単な説明】
【００９９】
【図１】本発明の一実施の形態による、出店支援システム１の全体構成を示す図である。
【図２】本発明の一実施の形態による、会員端末１０および事業者端末３０に用いられるコンピュータの典型的なハードウェア構成を示す図である。
【図３】本発明の一実施の形態による、会員端末１０の機能ブロック図である。
【図４】本発明の一実施の形態による、エリア情報の入力に用いられるユーザインタフェースの一例を示す図である。
【図５】本発明の一実施の形態による、事業者端末３０の機能ブロック図である。
【図６】本発明の一実施の形態による、サーバ装置２０のハードウェア構成を示す図である。
【図７】本発明の一実施の形態による、サーバ装置２０の機能ブロック図である。
【図８】本発明の一実施の形態による、会員情報データベース２５１の一構成例を示す図である。
【図９】本発明の一実施の形態による、店舗情報データベース２５２の構成例を示す図である。
【図１０】本発明の一実施の形態による、加盟候補者データベース２５３の構成例を示す図である。
【図１１】本発明の一実施の形態による、不動産データベース２５４の構成例を示す図である。
【図１２】本発明の一実施の形態による、利用想定情報データベース２５５の構成例を示す図である。
【図１３】本発明の一実施の形態による、道路データベース２５６の構成例を示す図である。
【図１４】本発明の一実施の形態による、駅データベース２５７の構成例を示す図である。
【図１５】本発明の一実施の形態による、既存店情報データベース２５８の構成を示す図である。
【図１６】本発明の一実施の形態による、エリア指定条件に応じてエリア情報を決定する処理の流れを示す図である。
【図１７】本発明の一実施の形態による、出店要請に応じた店舗情報の取得処理を説明する図である。
【図１８】本発明の一実施の形態による、店舗情報データベース２５２から店舗情報を取得する処理の流れを示す図である。
【図１９】本発明の一実施の形態による、サーバ装置２０による上記の集計処理の流れを示す図である。
【図２０】本発明の一実施の形態による、事業者端末３０からサーバ装置２０に利用実績情報が登録された場合に行われる処理の流れを示す図である。
【図２１】本発明の一実施の形態による、候補者端末５０を加えた出店支援システム１’の全体構成を示す図である。
【図２２】本発明の一実施の形態による、候補者端末５０の機能ブロック図である。
【符号の説明】
【０１００】
１０    会員端末
１０１  ＣＰＵ                        １０２  メモリ
１０３  記憶装置                      １０４  通信インタフェース
１０５  入力装置                      １０６  出力装置
１１１  エリア情報入力部              １１２  エリア情報登録要求送信部
１１３  希望店舗条件入力部            １１４  出店要請送信部
１１５  店舗情報受信部                １１６  店舗情報出力部
１１７  利用想定情報入力部            １１８  利用想定情報送信部
１１９  メッセージ受信部              １２０  メッセージ出力部
２０    サーバ装置
２０１  ＣＰＵ                        ２０２  メモリ
２０３  記憶装置                      ２０４  通信インタフェース
２１１  エリア情報登録要求受信部      ２１２  エリア情報登録部
２１３  出店要請受信部                ２１４  店舗情報取得部
２１５  調査対象会員選択部            ２１６  店舗情報送信部
２１７  利用想定情報受信部            ２１８  利用想定額集計部
２１９  メッセージ送信部              ２２０  店舗情報登録要求受信部
２２１  店舗情報登録部                ２２２  利用実績情報受信部
２２３  修正係数更新部                ２２４  ポイント発行部
２５０  データベースアクセス部        ２５１  会員情報データベース
２５２  店舗情報データベース          ２５３  加盟候補者データベース
２５４  不動産データベース            ２５５  利用想定情報データベース
２５６  道路データベース              ２５７  駅データベース
２５８  既存店情報データベース
３０    事業者端末
３１１  店舗情報入力部                ３１２  店舗情報登録要求送信部
３１３  利用実績情報取得部            ３１４  利用実績情報送信部
３１５  メッセージ受信部              ３１６  メッセージ出力部
４０    通信ネットワーク
５０    候補者端末
５１１  希望店舗条件入力部            ５１２  候補者出店要請送信部
５１３  メッセージ受信部              ５１４  メッセージ出力部
【要約】
【課題】店舗における顧客の利用想定額を容易に取得することができるようにする。
【解決手段】
会員端末とサーバ装置とが通信可能に接続する。サーバ装置は、出店可能な店舗に関する店舗情報を記憶する店舗情報データベースと、会員に関連するエリア情報を会員毎に記憶するエリア情報データベースとのそれぞれにアクセス可能に接続する。サーバ装置は、出店要請を前記会員端末から受信し、出店要請の条件に見合う店舗情報を店舗情報データベースから取得する。サーバ装置は、出店要請により特定される会員に対応するエリア情報の少なくとも一部と重なるエリア情報に関連する会員をエリア情報データベースから選択し、選択した会員の会員端末に対して店舗情報を送信する。サーバ装置は、店舗における会員の所定期間での利用想定額を会員端末から受信して記憶装置に記憶する。
【選択図】  図７
【図１】
0003683264.tif 000002
【図２】
0003683264.tif 000003
【図３】
0003683264.tif 000004
【図４】
0003683264.tif 000005
【図５】
0003683264.tif 000006
【図６】
0003683264.tif 000007
【図７】
0003683264.tif 000008
【図８】
0003683264.tif 000009
【図９】
0003683264.tif 000010
【図１０】
0003683264.tif 000011
【図１１】
0003683264.tif 000012
【図１２】
0003683264.tif 000013
【図１３】
0003683264.tif 000014
【図１４】
0003683264.tif 000015
【図１５】
0003683264.tif 000016
【図１６】
0003683264.tif 000017
【図１７】
0003683264.tif 000018
【図１８】
0003683264.tif 000019
【図１９】
0003683264.tif 000020
【図２０】
0003683264.tif 000021
【図２１】
0003683264.tif 000022
【図２２】
0003683264.tif 000023